(57)【要約】【課題】画面操作を要することなく時系列データの全体状況と最新状況とを的確に表示する。【解決手段】長周期データＴ１，Ｔ２…Ｔｎおよび短周期データｔ１，ｔ２…ｔｎを収集するプラントデータ収集部４と、長周期データＴ１，Ｔ２…Ｔｎおよび短周期データｔ１，ｔ２…ｔｎをそれぞれ時系列データ情報として画面上に表示するトレンドグラフ表示部７とを備え、長周期データＴ１，Ｔ２…Ｔｎを示す部分グラフＴＬと短周期データｔ１，ｔ２…ｔｎを示す部分グラフＴＳとを互いに関連して表示することにより、長周期データＴ１，Ｔ２…Ｔｎを示す部分グラフＴＬおよび短周期データｔ１，ｔ２…ｔｎを示す部分グラフＴＳを全体傾向および最新傾向を示すトレンドグラフＴＧからなる一連の時系列データ情報として表示する。【選択図】図１
2020087057.tif 000002
【特許請求の範囲】
【請求項１】
時系列データとして長周期でデータ収集される長周期データおよび時系列データとして短周期でデータ収集される短周期データを収集するデータ収集部と、前記長周期データおよび前記短周期データをそれぞれ時系列データ情報として画面上に表示する表示装置とを備え、前記長周期データを示す長周期データ情報と前記短周期データを示す短周期データ情報とを互いに関連して表示することにより、前記長周期データを示す長周期データ情報および前記短周期データを示す短周期データ情報を全体傾向および最新傾向を示す一連の時系列データ情報として表示することを特徴とする時系列データ表示装置。
【請求項２】
最新時刻を終端とする表示期間を前記短周期データの表示期間とすることを特徴とする請求項１に記載の時系列データ表示装置。
【請求項３】
時系列データとしての長周期データおよび短周期データを表示するデータ表示時間帯を複数の個別時間帯に区分し、最新時刻に対応する前記個別時間帯の一つを前記短周期データの表示期間とすることを特徴とする請求項１に記載の時系列データ表示装置。
【請求項４】
最新時刻を終端とする一定の最新期間を前記短周期データの表示期間とするか、最新時刻に対応する前記個別時間帯の一つを前記短周期データの表示期間とするかを選択する選択要素を設けたことを特徴とする請求項３に記載の時系列データ表示装置。
【請求項５】
時系列データとしての長周期データと前記長周期データに続く前記短周期データを表示するデータ表示時間帯の終端を最新時刻として表示し、前記短周期データを表示する前記データ表示時間帯において前記短周期データを常時更新することを特徴とする請求項１に記載の時系列データ表示装置。
【請求項６】
時系列データとしての長周期データと前記長周期データに続く前記短周期データの表示期間を端点固定表示期間とすることを特徴とする請求項１に記載の時系列データ表示装置。
【請求項７】
前記短周期データを表示するデータ表示時間帯において前記短周期データを常時更新するか、前記短周期データの表示期間を前記端点固定表示期間とするかを選択する選択要素を設けたことを特徴とする請求項６に記載の時系列データ表示装置。
【発明の詳細な説明】
【技術分野】
【０００１】
この出願は、時系列データ表示装置、特に、水処理プラントにおける機器と計器のデータを時系列データとして収集し、全体傾向と最新傾向の同時表示を行うトレンドグラフ表示機能を有するプラント監視装置の時系列データ表示構成に関するものである。
【背景技術】
【０００２】
従来のプラント監視装置においては、同一周期のグラフのみを同時表示するか、異なる周期のグラフを別のグラフとして表示していた。
また、先行技術によると、グラフの部分的な表示倍率の変更はできるが、常に最新時刻のグラフを表示する構成になっていなかった。
【先行技術文献】
【特許文献】
【０００３】
【特許文献１】特開２００３−２９５９４８号公報
【発明の概要】
【発明が解決しようとする課題】
【０００４】
従来のプラント監視装置は、同一周期のグラフしか同時表示できなかったため、全体傾向を確認するための過去の長期間データについて確認した後に、画面操作を行って注目すべき最新の詳細傾向について短期間データを表示する必要があり、プラント全体の状況を把握するのに時間がかかっていた。
【０００５】
この出願は上記のような課題を解決するためになされたものであり、画面操作を要することなく時系列データの全体状況と最新状況とを的確に表示することを目的とする。
【課題を解決するための手段】
【０００６】
この出願に開示される時系列データ表示装置は、長周期でデータ収集される長周期データおよび短周期でデータ収集される短周期データを収集するデータ収集部と、前記長周期データおよび前記短周期データをそれぞれ時系列データ情報として画面上に表示する表示装置とを備え、前記長周期データを示す長周期データ情報と前記短周期データを示す短周期データ情報とを互いに関連して表示することにより、前記長周期データを示す長周期データ情報および前記短周期データを示す短周期データ情報を全体傾向および最新傾向を示す一連の時系列データ情報として表示することを特徴とするものである。
【発明の効果】
【０００７】
この出願に開示される時系列データ表示装置によれば、長周期データ情報および短周期データ情報を全体傾向および最新傾向を示す一連の時系列データ情報として表示することにより、画面操作を要することなく時系列データの全体状況と最新状況とを的確に表示できる。
【図面の簡単な説明】
【０００８】
【図１】実施の形態１における時系列データ表示装置の全体構成および表示画面構成を示すブロック図である。
【図２】実施の形態１における時系列データ表示装置の処理フローを示す図表である。
【図３】実施の形態１における時系列データ表示装置の表示画面構成例および詳細処理フローを示す図表である。
【図４】実施の形態２における時系列データ表示装置の表示画面構成例および詳細処理フローを示す図表である。
【発明を実施するための形態】
【０００９】
以下、この出願をより詳細に説明するため、この出願を実施するための形態について、添付の図面に従って説明する。
実施の形態１．
実施の形態１を図１から図３までに基づいて説明する。図１（ａ）は実施の形態１における時系列データ表示装置の全体構成および表示画面構成を示すブロック図である。図２は実施の形態１における時系列データ表示装置の処理フローを示す図表である。図３（ａ）（ｂ）は実施の形態１における時系列データ表示装置の表示画面構成例を示す図表、図３（ｃ）は詳細処理フローを示す図表である。
【００１０】
図１においてプラント監視装置１は、制御ネットワーク２経由で水処理プラント３からプラントデータを収集している。
プラント監視装置１にて、プラントデータ収集部４が、収集したプラントデータを周期毎に時系列データベース（長周期）５と時系列データベース（短周期）６に格納する。
トレンドグラフの表示操作が行われると、トレンドグラフ表示部７が、時系列データベース（短周期）５と時系列データベース（短周期）６のデータを使用して時系列データ情報としてのトレンドグラフＴＧを表示する。
プラントデータ収集部４およびトレンドグラフ表示部７は、演算処理装置としてのプラント監視装置１に格納された応用ソフトウエア（応用Ｓ／Ｗ）としてのプラントデータ収集Ｓ／Ｗおよびトレンドグラフ表示Ｓ／Ｗと、これらＳ／Ｗに対応するプラント監視装置１におけるハードウエアにより構成される。
【００１１】
次に動作について図２に基づいて説明する。
プラント監視装置１にて、トレンドグラフ表示操作を行うと、トレンドグラフ表示部７が、短周期データのプロットが可能なシートを作成する（ステップＳ１）。
トレンドグラフを消去するまで、以下処理を短周期で繰り返し（ステップＳ２）、最新時刻のデータが常に更新されるようにする。
最新時刻を取得し、最新時刻が表示される様に時間軸を設定する（ステップＳ３）。データをプロットするエリアが短周期区間の場合（ステップＳ４）、短周期データｔ１，ｔ２…ｔｎをプロットし（ステップＳ５）、長周期データの場合は、長周期データＴ１，Ｔ２…Ｔｎをプロットする（ステップＳ６）。各プロットＴ１，Ｔ２…Ｔｎ，ｔ１，ｔ２…ｔｎ間を線で結ぶ（ステップＳ７）。
【００１２】
プラント監視装置１で監視画面の表示手段を構成するトレンドグラフ表示部７による表示画面には、このようにして図１の上部に示すように時系列データ情報としてｘｙ座標で示されるトレンドグラフＴＧが表示される。ｘ軸は表示時間帯を示すものであり、ｙ軸はデータ値を示すものである。トレンドグラフＴＧは長周期データＴ１，Ｔ２…Ｔｎを結ぶ長周期データ部分グラフＴＬと短周期データｔ１，ｔ２…ｔｎを結ぶ短周期データ部分グラフＴＳとが互いに関連付けられて表示される。
短周期データ部分グラフＴＳの表示手法は、図３（ａ）に示すものとすることができる。最新時刻を終端時点ＴＮとする一定の固定期間ＣＴ（例：１ＨＲ）を短周期期間として短周期データ部分グラフＴＳを表示する。
また、短周期データ部分グラフＴＳの表示手法を、図３（ｂ）に示すものとすることもできる。長周期データＴ１，Ｔ２…Ｔｎおよび短周期データｔ１，ｔ２…ｔｎを表示するデータ表示時間帯ＢＴを一定期間内（例：１ＨＲ）で設定される複数の個別時間帯ＢＴ１，ＢＴ２に区分設定し、最新時刻に対応する前記個別時間帯の一つ（例えば、個別時間帯ＢＴ２）を短周期データｔ１，ｔ２…ｔｎの表示期間として短周期データ部分グラフＴＳを表示する。
【００１３】
そして、上述した図２に示す「最新時刻を取得し、最新時刻が表示される様に時間軸を設定する」処理（ステップＳ３）において、図３に示すように、最新時刻から設定された固定期間分を短周期区間に設定する処理（ステップＳ３３）と設定された期間でシート（グラフエリア）を分割し、最新時刻が入るエリアを短周期区間に設定する処理（ステップＳ３４）を追加することで、最新時刻から一定期間の傾向に注力すべきプラントデータと、ある時点（例：正時）からの傾向に注力すべきプラントデータの表示手法を選択することができる。
図３（ａ）に示す最新時刻を終端時点ＴＮとする一定の固定期間ＣＴ（例：１ＨＲ）を短周期データｔ１，ｔ２…ｔｎを表示する短周期期間として短周期データ部分グラフＴＳを表示する手法と、図３（ｂ）に示す長周期データＴ１，Ｔ２…Ｔｎおよび短周期データｔ１，ｔ２…ｔｎを表示するデータ表示時間帯ＢＴを複数の個別時間帯ＢＴ１，ＢＴ２に区分設定し、最新時刻に対応する前記個別時間帯の一つ（例えば、個別時間帯ＢＴ２）を短周期データｔ１，ｔ２…ｔｎの表示期間として短周期データ部分グラフＴＳを表示する手法とをプラント監視装置１に設けられた選択要素により択一的に選択するものである。この選択要素は、プラント監視装置１に格納されたトレンドグラフ表示Ｓ／Ｗに選択手段として組み込まれていて、対応するハードウエアにより選択動作が行われる。
最新時刻を終端時点ＴＮとする一定の固定期間についての最新状況を短周期データ部分グラフＴＳにより詳細に表示するか、データ表示時間帯に区分設定された個別時間帯の何れかにおいて最新状況を短周期データ部分グラフＴＳにより詳細に表示するかを、状況把握の必要に応じ任意に選択することができるものである。
【００１４】
（１Ａ）実施の形態１における時系列データ表示装置は、図１から図３に示す通り、次の構成が適用されている。
時系列データとして長周期でデータ収集される長周期データＴ１，Ｔ２…Ｔｎおよび時系列データとして短周期でデータ収集される短周期データｔ１，ｔ２…ｔｎを収集するプラントデータ収集部４と、前記長周期データＴ１，Ｔ２…Ｔｎおよび前記短周期データｔ１，ｔ２…ｔｎをそれぞれ時系列データ情報として画面上に表示するトレンドグラフ表示部７からなる表示装置とを備え、前記長周期データＴ１，Ｔ２…Ｔｎを示す長周期データ部分グラフＴＬからなる長周期データ情報と前記短周期データｔ１，ｔ２…ｔｎを示す短周期データ部分グラフＴＳからなる短周期データ情報とを互いに時系列的に関連して表示することにより、前記長周期データＴ１，Ｔ２…Ｔｎを示す長周期データ部分グラフＴＬからなる長周期データ情報および前記短周期データｔ１，ｔ２…ｔｎを示す短周期データ部分グラフＴＳからなる短周期データ情報を全体傾向および最新傾向を示すトレンドグラフＴＧからなる一連の時系列データ情報として表示することを特徴とする。
すなわち、トレンドグラフＴＧを構成する短周期データ部分グラフＴＳを基に、注目すべき最新の詳細傾向については短周期データｔ１，ｔ２…ｔｎをプロットし、全体傾向を確認するための過去の長期間データについては、長周期データＴ１，Ｔ２…Ｔｎを同グラフ上に短周期の複数プロットをまとめることで表現し、最新の詳細傾向データと過去の長期間データを同時表示したまま、トレンドグラフＴＧを短周期で自動更新する手段を備えたプラント監視装置を構成するものである。
この構成により、長周期データ部分グラフＴＬからなる長周期データ情報および短周期データ部分グラフＴＳからなる短周期データ情報を全体傾向および最新傾向を示すトレンドグラフＴＧからなる一連の時系列データ情報として表示することにより、画面操作を要することなく時系列データの全体状況と最新状況とを的確に表示できる。
【００１５】
（１Ｂ）また、実施の形態１における時系列データ表示装置は、図３（ａ）に示す通り、前記（１Ａ）項の構成において、次の構成が適用されている。
最新時刻を終端時点ＴＮとする一定の固定期間ＣＴからなる最新の表示期間を前記短周期データｔ１，ｔ２…ｔｎを示す短周期データ部分グラフＴＳの表示期間とすることを特徴とする。
この構成により、トレンドグラフＴＧからなる一連の時系列データ情報表示することによって、画面操作を要することなく時系列データの全体状況と最新状況とを的確に表示できるとともに、最新時刻を終端時点ＴＮとする一定の固定期間ＣＴについての最新状況を短周期データｔ１，ｔ２…ｔｎを示す短周期データ部分グラフＴＳによって詳細かつ適切に表示できる。
【００１６】
（１Ｃ）また、実施の形態１における時系列データ表示装置は、図３（ｂ）に示す通り、前記（１）項の構成において、次の構成が適用されている。
時系列データとしての長周期データＴ１，Ｔ２…Ｔｎおよび短周期データｔ１，ｔ２…ｔｎを表示するデータ表示時間帯ＢＴを複数の個別時間帯ＢＴ１，ＢＴ２に区分設定し、最新時刻に対応する前記個別時間帯の一つ（例えば、個別時間帯ＢＴ２）を前記短周期データｔ１，ｔ２…ｔｎを示す短周期データ部分グラフＴＳの表示期間とすることを特徴とする。
この構成により、トレンドグラフＴＧからなる一連の時系列データ情報表示することによって、画面操作を要することなく時系列データの全体状況と最新状況とを的確に表示できるとともに、データ表示時間帯ＢＴに区分設定された個別時間帯ＢＴ１，ＢＴ２の何れかにおいて最新状況を短周期データｔ１，ｔ２…ｔｎを示す短周期データ部分グラフＴＳによって詳細かつ適切に表示できる。
【００１７】
（１Ｄ）また、実施の形態１における時系列データ表示装置は、図３（ｃ）に示す通り、前記（１Ｂ）項または前記（１Ｃ）項の構成において、次の構成が適用されている。
最新時刻を終端とする一定の固定期間ＣＴからなる表示期間を前記短周期データｔ１，ｔ２…ｔｎの表示期間とするか、最新時刻に対応する前記個別時間帯ＢＴ１，ＢＴ２の一つ（例えば、個別時間帯ＢＴ２）を前記短周期データｔ１，ｔ２…ｔｎの表示期間とするかを選択する選択要素を設けたことを特徴とする。
すなわち、短周期データの表示期間を最新時刻から固定期間とするか、最新時刻から一定期間内(短周期データが長周期分溜まった段階で長周期データとして更新)とするかを選択可能にしたプラント監視装置が構成されている。
この構成により、最新時刻を終端時点ＴＮとする一定の固定期間ＣＴからなる表示期間についての最新状況を短周期データｔ１，ｔ２…ｔｎを示す短周期データ部分グラフＴＳによって詳細に表示するか、データ表示時間帯ＢＴに区分設定された個別時間帯ＢＴ１，ＢＴ２の何れかにおいて短周期データｔ１，ｔ２…ｔｎを示す短周期データ部分グラフＴＳによって最新状況を詳細に表示するかを、状況把握の必要に応じ任意に選択することができる。
【００１８】
実施の形態２．
実施の形態２を図４に基づいて説明する。図４（ａ）（ｂ）は実施の形態１における時系列データ表示装置の表示画面構成例を示す図表、図４（ｃ）は詳細処理フローを示す図表である。この実施の形態２における特有の構成以外の構成については、前述した実施の形態１と同様の構成を具備し、同様の作用効果を奏するものである。
【００１９】
上述した実施の形態１の「最新時刻を取得し、最新時刻が表示される様に時間軸を設定する」処理（ステップＳ３）において、図４に示すように、グラフの自動更新が常時更新か端点固定か判定する処理Ｓ４２と、常時更新時のグラフ右端の時刻を最新時刻に更新し、短周期区間と長周期区間を設定する処理（ステップＳ３３）と、最新データで、端点固定区間ＦＴを超過しないかどうかを判別し（ステップＳ３４ａ）、超過しない場合に、端点固定時の端点固定区間分、グラフの時刻をずらして、短周期区間と長周期区間を設定する処理（ステップＳ３４ｂ）を追加することで、時刻にあまり意味を持たない様なプラントデータの場合は、最新時刻を常に右端に表示する。あるいはある時点（例：正時）のプラントデータ値が意味を持つような場合は、表示時刻を端点固定区間分固定してグラフの傾向を見ることができる。
【００２０】
短周期データ部分グラフＴＳの表示手法を、図４（ａ）に示すものとすることもできるものである。時系列データとしての長周期データＴ１，Ｔ２…Ｔｎと長周期データＴ１，Ｔ２…Ｔｎに続く短周期データｔ１，ｔ２…ｔｎ（図１参照）を表示するデータ表示時間帯の終端時点ＴＮを最新時刻として表示し、短周期データｔ１，ｔ２…ｔｎを表示するデータ表示時間帯において短周期データｔ１，ｔ２…ｔｎを常時更新することができる。
この表示手法では、時間の経過にも固定期間ＣＴの表示画面上の位置は変わらず、時間軸が22:00 〜 23:00  →  22:00+ 〜 23:00+として図４（ａ）に示されているように時間の経過とともに経過時間αに相当する＋α分だけ図の左方向に順次移動して行き、それに連動して短周期データｔ１，ｔ２…ｔｎも左方向に順次移動し、最新時刻に対応する固定期間ＣＴの右端の終端時点ＴＮの位置に更新された新たな短周期データｔｎ描画表示されるものである。
また、短周期データ部分グラフＴＳの表示手法を、図４（ｂ）に示すものとすることもできるものである。時系列データとしての長周期データＴ１，Ｔ２…Ｔｎと長周期データＴ１，Ｔ２…Ｔｎに続く短周期データｔ１，ｔ２…ｔｎの表示期間を表示始端時点および表示終端時点を不動のものとして固定した端点固定区間ＦＴからなる端点固定表示期間とする。
そして、時系列データとしての長周期データと前記長周期データに続く前記短周期データを表示するデータ表示時間帯の終端時点ＴＮを最新時刻として表示し、前記短周期データを表示するデータ表示時間帯において前記短周期データを常時更新するか、前記短周期データの表示期間を端点固定区間ＦＴからなる端点固定表示期間とするかを、プラント監視装置１に設けられた選択要素により択一的に選択するものである。この選択要素は、プラント監視装置１に格納されたトレンドグラフ表示Ｓ／Ｗに選択手段として組み込まれていて、対応するハードウエアにより選択動作が行われる。
短周期データを表示するデータ表示時間帯において前記短周期データを常時更新するか、前記短周期データの表示期間を端点固定区間ＦＴからなる端点固定表示期間とするかを、時刻にあまり意味を持たないデータか、特定の時刻に意味を持つデータかなどの、状況把握の必要に応じ任意に選択することができるものである。
【００２１】
（２Ａ）実施の形態２における時系列データ表示装置は、図４（ａ）に示す通り、実施の形態１における前記（１Ａ）項に示す構成において、次の構成が適用されている。
時系列データとしての長周期データＴ１，Ｔ２…Ｔｎと長周期データＴ１，Ｔ２…Ｔｎに続く短周期データｔ１，ｔ２…ｔｎを表示するデータ表示時間帯の終端時点ＴＮを最新時刻として表示し、一定の固定期間ＣＴからなる短周期データｔ１，ｔ２…ｔｎを表示するデータ表示時間帯において短周期データｔ１，ｔ２…ｔｎを常時更新することを特徴とする。
この構成により、トレンドグラフＴＧからなる一連の時系列データ情報表示することによって、画面操作を要することなく時系列データの全体状況と最新状況とを的確に表示できるとともに、前記短周期データを表示するデータ表示時間帯において前記短周期データを常時更新することにより最新状況を詳細かつ適切に表示できる。
【００２２】
（２Ｂ）実施の形態２における時系列データ表示装置は、図４（ｂ）に示す通り、実施の形態１における前記（１Ａ）項に示す構成において、次の構成が適用されている。
短周期データｔ１，ｔ２…ｔｎの表示期間を端点固定区間ＦＴ（例えば、１ＨＲ）からなる端点固定表示期間とすることを特徴とする。
この構成により、トレンドグラフＴＧからなる一連の時系列データ情報表示することによって、画面操作を要することなく時系列データの全体状況と最新状況とを的確に表示できるとともに、短周期データｔ１，ｔ２…ｔｎの表示期間を端点固定区間ＦＴからなる端点固定表示期間とすることにより最新状況を所要の表示期間において詳細に表示できる。
【００２３】
（２Ｃ）実施の形態２における時系列データ表示装置は、図４（ａ）に示す通り、前記（２Ａ）項または前記（２Ｂ）項に示す構成において、次の構成が適用されている。
一定の固定期間ＣＴからなる短周期データｔ１，ｔ２…ｔｎを表示するデータ表示時間帯において短周期データｔ１，ｔ２…ｔｎを常時更新するか、短周期データｔ１，ｔ２…ｔｎの表示期間を端点固定区間ＦＴからなる端点固定表示期間とするかを選択する選択要素を設けたことを特徴とする。
すなわち、グラフの自動更新の方式を常時更新（短周期毎にグラフのプロットを左に一つずらす）と端点固定（設定した期間毎にグラフのプロットを期間分ずらす）を選択可能にしたプラント監視装置を構成する。
この構成により、一定の固定期間ＣＴからなる短周期データｔ１，ｔ２…ｔｎを表示するデータ表示時間帯において短周期データｔ１，ｔ２…ｔｎを常時更新するか、短周期データｔ１，ｔ２…ｔｎの表示期間を端点固定期間ＦＴとするかを、時刻にあまり意味を持たないデータか、特定の時刻に意味を持つデータかなどの、状況把握の必要に応じ任意に選択することができる。
【００２４】
なお、本出願における技術思想としての開示事項は、その技術範囲内において、実施の形態を自由に組み合わせたり、各実施の形態を適宜、変形、省略したりすることが可能である。
【符号の説明】
【００２５】
１  プラント監視装置、２  制御ネットワーク、３  水処理プラント、４  プラントデータ収集部、５  時系列データベース（長周期）、６  時系列データベース（短周期）、７  トレンドグラフ表示部。
【図１】
2020087057.tif 000003
【図２】
2020087057.tif 000004
【図３】
2020087057.tif 000005
【図４】
2020087057.tif 000006